(57)【要約】      （修正有）【課題】地震による衝撃を十分に吸収することのできる耐震基礎下部構造を提供する。【解決手段】地震の際の揺れ衝撃をより吸収されるよう弾性素材、新品タイヤ、使用済みのタイヤ、削り取られたゴム片又、耐圧ホース、パイプを上部基礎下に使用し下部基礎内にも組み合わせ、地震による上下どの方向からの衝撃にも耐える事が出来、又基礎建築構造物の損壊を十分抑えられ、建物構造物の水平も保たれる構造である。【選択図】図１
0003145908.tif 000002
【実用新案登録請求の範囲】
【請求項１】
本考案は耐震基礎構造に関する、一般の民家の規模の
小さい建築構造物の基礎の下部の全部分に、設けられた
弾性素材及びコンクリート基礎、建物損壊に十分対応できる
耐震基礎下部構造
【請求項２】
一般基礎の下部に別基礎の内部分弾性素材ゴム部品
新品タイヤ又使用済みのタイヤ、削り取られたゴム片又耐圧ホース
などを組み合わせにより地震の際の揺れ特に上下、
どの方向からも衝撃が吸収される耐震基礎下部構造
【請求項３】
一般建築物は通常長方形、正方形及びこれらの組み合わ
された建物で有り大きさ、形、重量も異なり図１符号１３での
細部の構成、形状、数量、素材等において、本考案の要旨を逸脱しない
範囲で任意に変更し下部基礎構造を変える事で、十分に抑えることが
できる図１符号１２、１３、１４、弾性素材部品他構造で、地震後基礎本体の
ずれもない又基礎、建物の水平も保つ事ができる耐震基礎下部構造
【考案の詳細な説明】
【技術分野】
【０００１】
本考案は一般木造建築基礎の下部に造る基礎形状耐震軽震構造
【背景技術】
【０００２】
一般木造耐震基礎の基礎部分はコンクリートにより、全体が一体化されるため
地震等により地面が揺れた場合、その揺れを吸収することができず、上に建造
される住宅本体の損壊や崩壊を招きやすい問題があった。
【特許文献１】実用新案登録番号  第３０１８９０７号
【考案の開示】
【考案が解決しようとする課題】
【０００３】
本考案は、このような従来技術存在する課題を解決したものであり              地震によって被害を少なくするため弾性素材、又構造により基礎を造り
建築構造物への揺れ衝撃を緩和でき耐震性に優れた
耐震軽震基礎下部構造を提供することを目的とする
【課題を解決するための手段】
【０００４】
本考案は地震は、どの方向から揺れるか、どれだけの衝撃があるか
わからず（図１）により左右、上下の揺れを最小に抑える構造にする  又建築構造物は、大きさ、形も重量も異なり図１符号１３で使用する弾性素材また（新品）古タイヤ他ゴム部品の数を多く使い、重量又位置ズレが防止される  その他細部の構成、形状、数量、素材等において本考案の要旨を逸脱しない範囲で任意に変更できる        耐震軽震基礎下部構造
【考案の効果】
【０００５】
よって本考案により基礎、建物、人的被害を少なくできる耐震軽震基礎下部構造
【考案を実施するための最良の形態】
【０００６】
本考案に係る基礎は、建築物の重量形状により、コンクリート
弾性素材又、（新品）古タイヤ、他ゴム部品を使用し
形態は図面にて明らかにする
又この案は従来基礎の下部（地中）に造る構造である
【図面の簡単な説明】
【０００７】
【図１】本考案は最良の形態の断面図である
【図２】本考案の上部基礎の断面図である
【図３】本考案の最良の下部基礎の断面図である
【符号の説明】
【０００８】
１  下部基礎コンクリート
２  クラッシャーラン又は土砂
３  地中の土砂
４  上部下２０ｍｍコンクリート板
１１  上部新基礎コンクリート
１２  古タイヤ弾性素材、ゴムチップ
１３  弾性素材（新品タイヤ）古タイヤ
１４  耐圧ゴム、パイプ（ホース）
【図１】
0003145908.tif 000003
【図２】
0003145908.tif 000004
【図３】
0003145908.tif 000005
【手続補正書】
【提出日】平成20年5月13日(2008.5.13)
【手続補正１】
【補正対象書類名】実用新案登録請求の範囲
【補正対象項目名】全文
【補正方法】変更
【補正の内容】
【実用新案登録請求の範囲】
【請求項１】
規模の小さい建築構造物の基礎の下部の全部分に、
弾性素材及びコンクリート基礎を設けたことを特徴とする、
建物損壊に十分対応できる耐震基礎下部構造
【請求項２】
上部基礎図２符号１１と下部基礎図３符号１の中間層に
下部基礎外周角部分のコンクリートにかこまれた場所に弾性素材の新品タイヤ又
使用済みのタイヤをたてに敷設、又外回り下部基礎上に、弾性素材の耐圧ホースを
おき、内部盛土上に弾性素材の新品タイヤ、又使用済みのタイヤを横に置き並べた
上に上部基礎を設ける事で安定化の効果が秦され地震の際の揺れ、特に上下どの
方向からも衝撃が吸収される耐震基礎下部構造
【請求項３】
一般建築物は通常長方形、正方形及びこれらの組み合わされた建物で有り      
大きさ、形、重量が異なるため下部基礎外周コンクリートに囲まれた一角部分に
使用済みタイヤ９．２５−１６ＬＴ−１４ＰＲ、３ｍ２、１０ｔ荷重を負荷した場合の厚さの減少６０ｍｍ以内、内上部平面に使用済みタイヤ６．５０−１６ＬＴ−１２ＰＲ、１０ｍ２、７．５ｔ荷重を負荷した場合、
厚さの減少６０ｍｍ以内、外周基礎上部の耐圧ホース１００ｍｍ１０ｍ４０ｔ荷重を負荷した場合の厚さの減少６０ｍｍ以内の中間層とする建造物の面積、形状、数量配置分布により十分に抑えることができる耐震基礎下部構造
【手続補正２】
【補正対象書類名】明細書
【補正対象項目名】０００５
【補正方法】変更
【補正の内容】
【０００５】
本考案の耐震基礎下部構造によれば、地震の際の揺れ、衝撃、特に
上下、左右による衝撃が中間層により吸収されて緩和され、構造物の
損壊が抑えられ外周基礎上部の弾性素材、耐圧ホースを置くことで
安定を増し、十分な強度を有した中間層とすることができ、基礎、建物、
人的被害を少なくできる。
【手続補正３】
【補正対象書類名】明細書
【補正対象項目名】０００６
【補正方法】変更
【補正の内容】
【０００６】
本考案に係る基礎は、建造物の面積、形状、重量により弾性素材の
新、古タイヤを使用し、下部基礎の上部中間層に数量、配置、分布により
上下、左右、ずれ、水平を保ち安定を増すことができ、使用済みタイヤ
９．２５−１６ＬＴ−１２ＰＲを下部基礎外周コンクリートに囲まれた角部分に
３ｍ２１５本使用することで荷重、負荷が１０ｔ持ち、内部盛土上に使用済み
タイヤ６．５０−１６ＬＴ−１２ＰＲを３０ｍ２３０本使用した荷重、負荷２０ｔ以上
持つ。又、下部基礎外周コンクリート上に、耐圧ホースを置くことで、荷重、負荷、
中間層の強度が向上する。
又、この案は従来基礎の下部（地中）に造る構造である。
【手続補正４】
【補正対象書類名】明細書
【補正対象項目名】０００８
【補正方法】変更
【補正の内容】
【０００８】
１  下部基礎コンクリート
２  クラッシャーラン又は土砂
３  地中の土砂
４  上部下２０ｍｍコンクリート板
１１  上部新基礎コンクリート
１２  新、古タイヤ弾性素材
１３  新、古タイヤ弾性素材
１４  耐圧ゴム（ホース）
【手続補正書】
【提出日】平成20年7月8日(2008.7.8)
【手続補正１】
【補正対象書類名】手続補正書
【補正対象項目名】手続補正５
【補正方法】削除
【補正の内容】
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
規模の小さい建築構造物の基礎の下部の全部分に、
弾性素材及びコンクリート基礎を設けたことを特徴とする、
建物損壊に十分対応できる耐震基礎下部構造
【請求項２】
上部基礎と下部基礎の中間層に
下部基礎外周角部分のコンクリートにかこまれた場所に弾性素材の新品タイヤ又
使用済みのタイヤをたてに敷設、又外回り下部基礎上に、弾性素材の耐圧ホースを
おき、内部盛土上に弾性素材の新品タイヤ、又使用済みのタイヤを横に置き並べた
上に上部基礎を設ける事で安定化の効果が秦され地震の際の揺れ、特に上下どの
方向からも衝撃が吸収される耐震基礎下部構造
【請求項３】
一般建築物は通常長方形、正方形及びこれらの組み合わされた建物で有り      
大きさ、形、重量が異なるため下部基礎外周コンクリートに囲まれた一角部分に
使用済みタイヤ9.25-16LT-14PR、3ｍ2、10ｔ荷重を負荷した場合の厚さの減少60ｍｍ    以内、内上部平面に使用済みタイヤ6.50-16LT-12PR、10ｍ2、7.5ｔ荷重を負荷した場    合、厚さの減少60ｍｍ以内、外周基礎上部の耐圧ホース直径100ｍｍ、長さ10ｍに40    ｔ荷重（延床50坪の家本体と上部基礎の重量相当）を負荷した場合の厚さの減少60      ｍｍ以内この外回り下部基礎の上に耐圧ホースを設ける事で上部基礎、又建造物の安    定化の効果が、増大する中間層となる。
又建造物の面積、形状、数量配置分布により十分に衝撃を抑えることができる
耐震基礎下部構造
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
規模の小さい建築構造物の基礎の下部の全部分に、
弾性素材及びコンクリート基礎を設けたことを特徴とする、
建物損壊に十分対応できる耐震基礎下部構造
【請求項２】
上部基礎と下部基礎の中間層に
下部基礎外周角部分のコンクリートにかこまれた場所に弾性素材の新品タイヤ又
使用済みのタイヤをたてに敷設、又外回り下部基礎上に、弾性素材の耐圧ホースを
おき、内部盛土上に弾性素材の新品タイヤ、又使用済みのタイヤを横に置き並べた
上に上部基礎を設ける事で安定化の効果が秦され地震の際の揺れ、特に上下どの
方向からも衝撃が吸収される耐震基礎下部構造
【請求項３】
一般建築物は通常長方形、正方形及びこれらの組み合わされた建物で有り大きさ、形、重量が異なるため，
下部基礎外周コンクリートに囲まれた一角部分に使用済みタイヤ9.25-16LT-14PR、3ｍ2に10ｔ荷重を負荷した場合の厚さの減少が60ｍｍ以内，
下部基礎外周コンクリート内の内部盛土上に使用済みタイヤ6.50-16LT-12PR、10ｍ2に7.5ｔ荷重を負荷した場合の厚さの減少60ｍｍ以内，
下部基礎外周コンクリートの上部に耐圧ホース直径100ｍｍ、長さ10ｍに40ｔ荷重（延床50坪の家本体と上部基礎の重量相当）を負荷した場合の厚さの減少が60ｍｍ以内，
を設ける事で上部基礎、又建造物の安定化の効果が増大する中間層として、建造物の面積、形状、数量配置分布により十分に衝撃を抑えることができる耐震基礎下部構造